(57)【要約】各フィルムが複数の光吸収領域を有する２フィルム構造を備えた光制御素子を開示する。例えば、この光吸収要素は、光吸収材料を充填もしくはコーティングした、これらのフィルム内の一連の溝または柱状くぼみであり得る。この２枚のフィルムは、それらの各光吸収領域が素子の厚み方向に沿って延在する複数の光吸収要素を形成するように隣接配置することができる。この光吸収要素は、観察者が一定の視角範囲内では光制御素子を通して画像を視ることを許容するが、その視角範囲外ではその画像を視ることを阻止する。この２フィルム構造により、比較的簡便な製造性が得られるだけでなく、一般的な観察範囲全体におけるより良い観察均一性と、厳格なプライバシー閲覧カットオフと、ゴースト形成の低減とを提供できる光吸収要素を形成することができる。
2004514167.tif 000002
【特許請求の範囲】
【請求項１】
光制御素子であって、
表面内に延在する第１の複数の光吸収領域を含む第１の光透過フィルムと、
前記第１の光透過フィルムに隣接して配置され、その表面内に延在する第２の複数の光吸収領域を含む第２の光透過フィルムと、
を含み、
観察者が一定の視角範囲内において前記光制御素子を通して画像を視ることを許容し、かつ前記視角範囲外では前記光制御素子を通して前記画像を視ることを阻止するように、前記第１の複数の光吸収領域および前記第２の複数の光吸収領域が相対的に配置される光制御素子。
【請求項２】
光制御素子を作製するための方法であって、
表面内に延在する第１の複数のくぼみを有する第１の光透過フィルムを形成する工程と、
表面内に延在する第２の複数のくぼみを有する第２の光透過フィルムを形成する工程と、
前記第１および第２の複数のくぼみに光吸収性を賦与する工程と、
前記第１および第２の光透過フィルムを隣接配置する工程と、
を含み、
前記光制御素子が画像と観察者との間に配置されたときに、前記光制御素子によって観察者が一定の視角範囲内において前記光制御素子を通して前記画像を視ることを許容し、かつ前記視角範囲外では前記光制御素子を通して前記画像を視ることを阻止できる方法。
【請求項３】
前記第１の複数の光吸収領域が複数の溝を含む、請求項１に記載の光制御素子または請求項２に記載の方法。
【請求項４】
前記第１および第２の複数の光吸収領域がそれぞれ複数の溝を含む、請求項１に記載の光制御素子または請求項２に記載の方法。
【請求項５】
前記第１および第２の複数の光吸収領域が相互に位置合わせされる、請求項４に記載の光制御素子。
【請求項６】
前記第１の複数の光吸収領域が、可視スペクトル内の一定の波長範囲に渡って第１の光透過フィルムの屈折率とほぼ同じかあるいはそれより大きい屈折率を示す、請求項１に記載の光制御素子。
【請求項７】
前記第１の複数の光吸収領域が５°より大きい側壁角を呈する、請求項１に記載の光制御素子または請求項２に記載の方法。
【請求項８】
前記第１の複数の光吸収領域が湾曲壁を呈する、請求項１に記載の光制御素子または請求項２に記載の方法。
【請求項９】
前記第１および第２の複数のくぼみに光吸収性を賦与する工程が、前記第１および第２の複数のくぼみに可視光線吸収材料を充填する工程を含む、請求項２に記載の方法。
【請求項１０】
前記第１および第２の複数のくぼみに光吸収性を賦与する工程が、前記第１および第２の光透過フィルムを隣接配置する工程の前に実行される、請求項２に記載の方法。
【発明の詳細な説明】
【０００１】
本発明は１つの視角範囲全体で透過を高め、他の視角範囲全体で透過を低くする光制御素子に関する。
【０００２】
背景
光制御フィルム、もしくは光コリメーティングフィルムが当業界では周知であり、これまで様々な方法で作製されてきた。１つのタイプの光制御フィルムは、光学濃度が比較的高いプラスチック層と光学濃度が比較的低いプラスチック層を交互に含む。光学濃度の高い層は光コリメーティングルーバ要素を提供する。吸光率の比較的高い中心領域と吸光率の低い外部領域を有するルーバを備えたルーバプラスチック光制御フィルムが開示されている。吸光率の低い領域の存在により、ルーバ要素を外れた視射角反射に起因するゴーストの形成を低減できる。他のタイプの光制御フィルムは、光吸収材料で充填またはコーティングされた溝を有するフィルムまたはプレートを含む。
【０００３】
発明の概要
本発明者らは、製造が比較的簡単で、高アスペクト比の吸収要素を持たせることができ、ゴースト形成を低減させることができ、所望の効果が何であるかによって多くの光吸収要素の形状、サイズ、および間隔に合わせて構成できる新しい光制御素子を発見した。
【０００４】
一実施形態では、本発明は、表面中に延在する第１の複数の光吸収領域を有する第１の光透過フィルムと、第１の光透過フィルムに隣接して配置され、その表面の中に延在する第２の複数の光吸収領域を含む第２の光透過フィルムと、を含む。この第１の複数の光吸収領域および第２の複数の光吸収領域は、観察者が一定の視角では光制御素子を通して画像を視ることを許容し、かつそれ以外の視角では光制御素子を通してその画像を視ることを阻止するように相対的に配置される。
【０００５】
他の実施形態では、本発明は、光制御素子を作製するための方法を提供する。この方法は、第１の光透過フィルムの表面内に延在する第１の複数のくぼみを有する第１の光透過フィルムを形成する工程と、第２の光透過フィルムの表面内に延在する第２の複数のくぼみを有する第２の光透過フィルムを形成する工程と、第１および第２の複数のくぼみに光吸収性を賦与する工程と、第１および第２の光透過フィルムを隣接して配置する工程と、を含む。光制御素子は、この光制御素子が画像と観察者との間に配置されると、観察者が一定の視角範囲内では光制御素子を通してその画像を視ることを許容し、その視角範囲外ではその光制御素子を通してその画像を視ることを阻止することができる。
【０００６】
本発明は様々な変更や代替的な形態が可能であるが、その細目は添付図面に例示されており、詳細に説明される。但し、記載された特定の実施形態に本発明を限定する意図はないことを理解されたい。本発明の意図は、それとは逆に、本発明の精神および範囲内にあるすべての変更物、等価物、および代替物を包含することである。
【０００７】
詳細な説明
図１は、本発明による典型的な光制御素子１１０の断面である。光制御素子１１０は、第１の透過フィルム１００Ａと第２の隣接透過フィルム１００Ｂとを含む。これらの透過フィルムは、所望の波長範囲内、つまり可視スペクトルまたはその一部などのスペクトル域内において実質的に光を透過するのが好ましい。透過フィルム１００Ａおよび１００Ｂは、適切に重ね合わせ、積層し、接合し、あるいはその他の方法で隣接配置することができる。例えば、透過フィルム１００Ａおよび１００Ｂは、光学的に清澄な接着剤で接合することができる。直接積層、超音波溶接、およびその他の適切な技法を含む接合方法も検討される。例示した実施形態では、フィルム１００Ａとフィルム１００Ｂは、実質的に透明な材料から作製されており、同一材料から、あるいは屈折率が同一かほぼ同一の材料から作製されるのが好ましい。同様に、例えばこれらのフィルムを接合するために光学接着剤またはその他のかかる材料がフィルム１００Ａと１００Ｂとの間に配置される場合、これらのフィルム間に置かれる材料は、これらの透過フィルムの材質に一致（あるいはほぼ一致）した屈折率であることが好ましい。屈折率を一致あるいはほぼ一致させることにより、これらの材料の間の界面における反射の低減を助け、光制御素子の全透過を高めることができる。
【０００８】
透過フィルム１００Ａは、複数の光吸収領域１０２Ａを含む。光吸収領域１０２Ａは任意の適切な形状および寸法を有することができ、また一般にフィルムの１つの表面から透過フィルム１００Ａの中へ延在している。この光吸収領域は、例えばこの領域に光吸収材を充填するか、あるいはこの領域の壁に光吸収材をコーティングすることによって光吸収性を付与してもよい。この光吸収領域はまた、これらの領域に光散乱または分散材を充填するか、あるいはこれらの領域の壁にそれらをコーティングすることにより形成することもできる。そのため、所望のスペクトル域内の光の透過を実質的に阻止するよう意図された、光制御素子内の領域を指すために本文書で使用される「光吸収」という用語は、主に光を吸収する役割を果たす材料および／または主に光を散乱（または分散）させる材料とを含むことができる。透過フィルム１００Ｂは、他の複数の光吸収領域１０２Ｂを含む。一般に、光吸収領域１０２Ａと光吸収領域１０２Ｂは同一のまたは異なる寸法（高さ、幅、間隔）、同一のまたは異なる形状、および同一のまたは異なる材料を有することができる。同様に、フィルム１００Ａと１００Ｂとが隣接配置されると、それらの各光吸収領域１０２Ａと１０２Ｂの位置は一致する場合も（図１に示す）、必要量オフセットされる場合も、あるいは光制御素子の各領域上で整列とオフセットの間で変化させることもできる。
【０００９】
図１の実施形態では、光吸収領域１０２Ａと１０２Ｂは、同様の形状および同様の間隔を有し、透過フィルム１００Ａと１００Ｂは、光吸収領域１０２Ａと１０２Ｂが全体的に整列されるよう隣接配置される。フィルム１００Ａと１００Ｂの隣接配置により界面１０４ができる。界面１０４における不要な反射は、フィルム１００Ａと１００Ｂ用におよび／または界面１０４に使用される任意の接着剤またはその他の接着剤として屈折率を一致あるいはほぼ一致させた材料を使用することにより、低減することができる。位置合わせした各組の光吸収領域は、光制御素子１１０全体の単一光吸収要素と考えることができ、この光吸収要素は、高さＤと、その最も幅広部分での幅Ｗを有する。選択した隣接光吸収要素間の間隔は光吸収要素間の中心間距離によって測定でき、これはＳで示す。
【００１０】
光制御素子１１０は、表示面、画像面、あるいはその他の表示オブジェクトの近傍に配置できる。観察者が光制御デバイスに直角な方向に光制御デバイスを通して画像を視る垂直入射（または０°視角）においては、その画像を視ることができ、光制御素子の中を透過される画像からの光の成分は、同じ最大幅と同じ中心間距離を有する、対向し、相互に位置合わせされた光吸収要素の場合においては、（Ｓ−Ｗ）／Ｓ（必要か不要かにかかわらず、表面反射またはその他のリダイレクトに起因する損失を考慮しない）にほぼ等しい。サイズ、形状、間隔などが様々な光吸収要素を有する光制御素子についても同様の計算ができる。但し、一般性を失うことなく、かつ本発明を限定することなく、本文書は、規則正しく間隔を取られた類似形状の光吸収要素を有する光制御素子に議論を集中してもよい。
【００１１】
視角が大きくなるにつれて、画像から観察者へ光制御素子の中を透過される光の量は、ほぼ全ての光が光吸収要素で遮られて画像を視ることができなくなる最大視角に達するまで減少していく。これは、ディスプレイの使用または閲覧のために考えられた一般的な視角範囲の外にある者が観察できないようにすることによって観察者にプライバシーを提供できる。
【００１２】
光吸収領域を含む光透過フィルムの例は、図２（ａ）と（ｂ）に示される。図２（ａ）は、複数の平行な光吸収溝２０６を含む光透過フィルム２００を示す。この光吸収溝２０６は、表面２０４からフィルム２００の中へ延在しているが、フィルム２００の底まで伸びていてもよいし、そのように伸びていなくてもよい。図に示すように、光吸収溝２０６は、フィルム２００の底まで伸びておらず、フィルム２００のうち光吸収溝２０６の底と反対面２０２との間の部分は一般的に「ランド」２０８と称される。図２（ｂ）は、表面２１４から反対面２１２の方向へフィルム２１０の中へ伸びている複数の光吸収カラム２１６を含む別の光透過フィルム２１０である。各フィルム２００と２１０を、光吸収領域を有する他の類似のあるいは異種の光透過フィルムと組み合わせて、図１に示すような光制御素子を作製することができる。光透過フィルムは、光吸収要素の延在する表面（以後、実際の光吸収要素の形状がどうであれ、「構造化」表面と称する）が（図１のように）隣接配置されるように、組み合わせることができる。光透過フィルムはまた、その各々のランド側表面（溝を付けた表面の反対側の表面）が隣接配置されるよう組み合わせることもできる。光透過フィルムはまた、１つのフィルムのランド側表面が他方のフィルムの構造化表面に隣接して配置されるよう組み合わせることもできる。
【００１３】
一般に、光制御素子が垂直入射を含む一定の視角範囲に渡って比較的高い透過を示し、その高透過範囲外の視角では比較的急速にゼロまたはほぼゼロに低下する透過を示すことが好ましい場合がある。このような透過と視角の挙動により、直接的観察者は選択された視角範囲全体で十分な明るさで光制御素子を通して画像を観察できるが、傍観者はそれをのぞき見ることができない。そのため、この光制御阻止はプライバシーフィルターとして機能することができる。より大きな視角で光を阻止することで、車両内のディスプレイに対して一定の角度で配置された近くのフロントガラスなど、反射面または潜在的にぎらつきの起こる可能性のある表面に光が向けられるのも防止できる。
【００１４】
本発明の光制御素子は多くの利点を提供できる。例えば、製造性も比較的良好に、そして光吸収要素の形状寸法の範囲も大きく維持しながら、高アスペクト比の吸収要素を作製することができる。これは、所望の視角範囲では高透過を、所望範囲外の視角では透過の厳格なカットオフを、そしてゴースト形成の低減（後述）を提供する光制御素子につながる。図３に示す光制御素子３００の一部でこれらの効果を説明することができる。図３は、複数の光吸収要素３０６Ａを有する第１の透過フィルム３０２Ａと、それに対応する複数の光吸収要素３０６Ｂを有する第２の透過フィルム３０２Ｂとを含む光制御素子３００を示す。光吸収要素３０６Ａと３０６Ｂはその形状および間隔が類似しており、透過フィルム３０２Ａと３０２Ｂは、その各々の光吸収要素が互いに整列されるように光学的に清澄な接着剤３０４を使用して接合される。この光吸収要素は、壁夾角θ、最大幅Ｗ、有効高さＤ、中心間距離Ｓ、および最大視角φを有する。視野範囲φは、最大視角の約２倍である。視野範囲φは非対称で、例えば垂直視角ではより大きな範囲を提供し、水平視角ではより小さな範囲を提供する。視野範囲φはまた、図４について以下に詳述するように、水平面での方向によって視角範囲の大きさを変えたりすることによって非対称にすることができる。
【００１５】
中心間距離Ｓが小さくしてアスペクト比（Ｄ／Ｗ）を高めた光制御素子は、より小さな視角でより厳格な画像視認性カットオフを提供できる。例えば、Ｄを固定したままでＷとＳを低減させると、解像度は垂直およびほぼ垂直な視角で改善され、プライバシーのための閲覧カットオフはさらに高度なものとなる。本発明の光制御素子を利用すると、これらの利点を達成できるだけでなく、ゴースト形成を低減し、また比較的良好な製造性を維持できる。第１に、後述するように、高アスペクト比領域を形成するより、透過フィルム内に比較的小さなアスペクト比の光吸収領域を形成することの方が一般的には容易である。但し、フィルムを重ね合わせることによって、「光吸収領域の高さを実効的に二倍にする本発明の光制御素子を作製することができる。これにより２つの光吸収領域を組み合わせることで、必ずしもそれに応じて光吸収要素の幅を増やすことをせずに、さらに背の高い光吸収要素を形成することができる。このため、有効なアスペクト比を高めながら、垂直入射における透過が維持できるのである。
【００１６】
本発明の光制御素子においてもまた、比較的大きな壁夾角（図３のθ）を有するものも作製できる。この２フィルム構造では、光吸収要素は図１および３に示すように設計して、光吸収要素が片端では狭く、最大幅まで広がったあとまた狭くなる光制御素子を作製することができる。あるいは、これらの光吸収要素は端部で広く中間で狭くしてもよいし、または他のこのような組合せであってもよい。これらの場合、側壁角は比較的大きく、垂直視角で十分な透過が得られる最大幅を維持できる。これは、片端での最大幅から他端での最小幅へと先細になる光吸収要素を有するのが一般的な、単一フィルム構造に比較できる。このような単一フィルム構造では、大きな側壁角と、高アスペクト比構造と、垂直視時における比較的高い透過との組合せは、本発明の２フィルム構造では容易に得ることができない。これは、所与の最大幅では、吸収要素の側壁角が大きくなるに伴って、吸収要素の高さが小さくなり、その結果、アスペクト比も小さくなる。２フィルム構造を使用することによって、吸収要素のアスペクト比は、所与の最大幅と側壁角において実効的に倍加することができる。
【００１７】
側壁角を０°またはほぼ０°に低減することにより、理論上は単一フィルム構造に高アスペクト比構造体を持たせることが可能であるが、このような小さな側壁角と高いアスペクト比を有する構造体は製造が困難であり、特に離型剤が大きな問題になり得る成形技法によりフィルムを作製する場合にはなおさらである。本発明では、製造性に加えて側壁角が大きさも利益を提供できることが判明した。大きな側壁角の１つの利点は、これらの角度が、ゴースト画像形成、つまり「ゴースト」の低減につながることである。ゴーストは、画像からの光が視射角で光吸収要素に入射するときに発生し、表示解像度の喪失および／または画像コントラストの低下を招く場合がある。側壁角が大きいと、ゴーストが最も強く観察されるのはより大きな視角においてである。光制御素子を正しく設計することにより、ゴースト画像は、光制御素子を通しての全透過が低くなる視角へと押し出すことができるため、ゴーストにより視認性が大きく低下することはなくなる。
【００１８】
側壁角が大きいことで光吸収領域の最大幅を大きくでき、垂直入射時の透過率を低減できる。但し、側壁角を大きくすることの利点は、透過率が比較的均一に推移して、ほぼ垂直な視角（例：側壁角によって例えば約１０°または２０°までの視角）においては視角とともにただゆっくりと低減するということである。これは、観察者に、一般的な視角範囲全体に渡ってより均一なディスプレイ表示を与えることができ、ディスプレイに対するより大きな移動の自由度を可能にする。このような光制御素子はまだ、より大きな視角では透過ゼロとなる急激なカットオフを提供できる。観察者にとっての全体的な効果は、十分な最大透過を維持しながら、一般的な視角範囲内で均一なディスプレイ表示と軸外プライバシーが得られることである。
【００１９】
本発明の光制御素子で有用な光透過フィルムは、フィルムに加工可能で、複数の光吸収領域を与えることのできる、任意の適切な可視光線に透明なまたは可視光線を透過する材料で作製できる。光透過フィルムは、可視光線（またはその他の所望のスペクトル域）を透過し、成形、鋳造、押出し、および／または直接機械加工などにより、光吸収材料（および／または光散乱材料）を充填またはコーティングしたときに光吸収領域を形成できる複数の溝またはその他のくぼみをもたせることのできるプラスチックフィルムであることが好ましい。ガラスなどの他の透過材料も使用することができる。
【００２０】
本発明の光制御素子内に光吸収領域を形成するのに有用な光吸収材料としては、可視スペクトルの少なくとも一部の光を吸収または遮断する機能を果たす任意の適切な材料を使用できる。光吸収材料は光透過フィルム内の溝またはくぼみ内コーティングするかあるいはその他の方法で配置して、光透過フィルム内に光吸収領域を形成することができることが好ましい。例示した光吸収材料は、適切なバインダの中に分散させた黒色またはその他の光吸収着色剤（カーボンブラック、またはその他の顔料もしくは染料、あるいはその組合せ）を含む。他の光吸収材としては、光が光吸収領域の中を透過するのを遮る役割を果たせる粒子またはその他の散乱要素を含むことができる。
【００２１】
光透過フィルム／光吸収材料の界面での反射を低減するため、可視スペクトルの全体もしくは一部に渡って透過フィルム材料の屈折率を光吸収材料の屈折率に一致あるいはほぼ一致させることが望ましい場合がある。このような反射を低減することで、ゴーストの形成が低減する傾向がある。可視スペクトル全域など、実質的な波長範囲に渡って材料の屈折率を一致させることは困難である場合が多く、これらの場合においては、所定のスペクトル域（例えば、可視波長範囲）全体に渡って光透過材料の屈折率と等しいかまたはそれより少し大きい屈折率を有する光吸収材料を使用することが望ましい場合がある。
【００２２】
それぞれが複数の光吸収領域を有する２枚の光透過フィルムを組み合わせて、任意の適切な方法で本発明の光制御素子を形成できる。上記のように、２枚の光透過フィルムは、接着剤、できれば光学的に清澄な接着剤、できれば屈折率が適合する接着剤などを使用して、重ね合わせて接合できる。光透過フィルムの光吸収領域は、他の光透過フィルムと重ね合わせて接合する前に光吸収材料で充填またはコーティングすることができる。あるいは、２枚の光透過フィルムは、その各々の構造化表面を光吸収材料で充填またはコーティングする前に重ね合わせて接合することができる。例えば、各々が互いに位置合わせすることのできる類似した一連の平行溝を含む２枚の光透過フィルムは、その各々の溝の位置を合わせて構造化面同士で接合することができる。溝にはその後で光吸収材料などを充填することができる。
【００２３】
光吸収要素の位置合わせが必要な場合、溝またはタブで位置合わせを容易にできる。位置合わせは、光吸収要素の位置合わせでは、例えば各フィルムの幅方向の２つ以上の位置を監視することにより測定できる。代替的に、あるいは追加的に、回転および／または平行移動による位置合わせは干渉縞の有無により監視できる。干渉縞があれば、フィルム構造体の位置合わせが不良であることを示す。更に、これらの構造化フィルムのうちの片方または両方は、各構造体のより正確な位置合わせを促進するために１つ以上の方向に伸ばすことができる。
【００２４】
互いに位置あわせおよび見当合わせした光吸収要素を有する２枚の透過フィルムを含む光制御素子に加えて、上記の通り、本発明は他の実施形態も検討する。図４は、第１の複数の光吸収要素４０４Ａを含む第１の透過フィルム４０２Ａと、第２の複数の光吸収要素４０４Ｂを含む第２の透過フィルム４０２Ｂとを含む光制御素子４００を示す。光吸収要素４０４Ａと４０４Ｂの組は、部分的に重なり合うよう完全な見当合わせからずれている。このようにして、垂直およびほぼ垂直の視角で十分な透過を有し、また同一観察面内で視角非対称を有する光制御素子を作製することが可能である。説明のため、図４では、近接光吸収要素の組同士の間で視角カットオフ点を表す線を示している。図からわかる通り、図面の平面内での全視角範囲は、φ１とφ２との和であるφＴで示される。光吸収要素の各組はずれているため、φ１はφ２より小さく、その結果、図面の平面内の観察方向によって視角非対称となる。このような非対称は、１つの方向からはより大きな視角でのディスプレイ閲覧が望ましいが反対方向にはプライバシーが望まれる用途では望ましい場合がある。例えば、ＰＤＡや携帯電話などでは、ディスプレイが観察者から若干傾けた状態で保持されるのが普通であるため、一般的な表示は非垂直角度で行うことが考えられる。この場合は、観察者の方への傾斜についてより大きな視角を許可し、観察者から離れる場合はより小さい視角でプライバシーカットオフを許可する光制御素子を有することが望ましい場合がある。
【００２５】
光吸収構造体の位置合わせ不良および／または見当合わせ不良は、他の目的にも望まれる場合がある。位置合わせ不良の構造体は、装飾的表示用途で望ましい干渉縞を提供することができる。代替的に、または追加的に、着色剤および／または波長依存散乱粒子を本発明の光制御素子の光透過フィルムまたは光吸収領域内に追加して、視角によって均一でありまたは変化する他の望ましい視覚的効果を追加することができる。
【００２６】
実施例
本発明の目的および利点は以下の実施例により更に説明されるが、これらの実施例で引用される特定の材料や数量、並びに他の条件や詳細は、本発明を不当に限定するものと解釈してはならない。
【００２７】
実施例１
構造化フィルムは、ＰＥＴ基板上にウレタンアクリレートを成形および紫外線硬化することで作製された。このようにしてウレタンアクリレート内に作製された構造体は、各々がわずかに長方形の断面を有する一連の均等間隔の溝であった。これらの溝は幅が約１００ミクロン、深さが約１８５ミクロン、およびそのピッチが約２２０ミクロンであった。これらの構造化フィルムのうちシート２枚を、構造化表面同士を合わせて積層した。各シートのそれぞれの溝は相互に位置合わせされ、それらのシートは、そのいずれかのシートの構造化表面に適用されたシアノアクリレート接着剤の薄層によって積層された。接着剤を乾燥させた後、カーボンブラックを添加したアクリル樹脂をこれらの溝に充填した。真空吸引によってカーボンブラック添加樹脂を溝の中へ通して充填した。カーボンブラック添加樹脂はその後にＵＶ硬化した。その結果得られた光制御素子は、図１に示すものに類似していた。
【００２８】
実施例２
表Ｉの配合に従って黒色の光吸収樹脂混合物が作製された。
【００２９】
【表１】
2004514167.tif 000003
【００３０】
この混合物は、実施例１に記載の構造化フィルムシートとソーダ石灰ガラス板との間に積層された。ソーダ石灰ガラス板は、ミネソタ・マイニング・アンド・マニュファクチャリング・カンパニー（Ｍｉｎｎｅｓｏｔａ　Ｍｉｎｉｎｇ　ａｎｄ　Ｍａｎｕｆａｃｔｕｒｉｎｇ）よりスコッチボンド（ＳｃｏｔｃｈＢｏｎｄ）という商品名で販売されているシランカップリング剤プライマーで既に下塗りされていた。積層プロセスの間、マイクロ複製されたフィルム内の各溝はスラリーで充填された。このスラリーはその後、青色光源によるキュアリングで硬化された。構造化フィルムは次にガラスから剥離された。剥離時、構造化シートの各溝内の硬化済み光吸収材料はこれらの溝の中に残り、残りの硬化済み光吸収材料はガラス上に残って構造化フィルムからはっきりと分離した。構造化フィルムの別のシートを使用してこれと同じ手順が実行された。
【００３１】
光吸収材料を充填した溝を有する２枚の構造化フィルムシートは、実施例１で使用したシアノアクリレート接着剤を使って構造体側を合わせて接合し、図１のものと類似した光制御素子を作製した。
【００３２】
実施例３
ＰＥＴ基板上でウレタンアクリレートを成形およびＵＶ硬化させて構造化フィルムを作製した。このようにしてウレタンアクリレート内に作製されたこの構造体は、各々がほぼ長方形の断面を有する一連の均等間隔の溝であった。これらの溝は幅が約３０ミクロン、深さが約８０ミクロン、そしてピッチが約１００ミクロンであった。直線溝にはその後、カーボンブラック添加ウレタンアクリレートを充填し、ＵＶ照射で硬化した。ここで使用された黒色充填樹脂の配合は表ＩＩにまとめた。
【００３３】
【表２】
2004514167.tif 000004
【００３４】
カーボンブラック添加構造化フィルムシート２枚を、構造化表面同士を合わせて、各シートのブラック充填溝の位置を合わせて積層した。これらのシートは、これらのシートのうちのいずれかのシートのウレタンアクリレート表面に塗布されたシアノアクリレート接着剤の薄層により積層された。こうして得られた光制御素子は、図１に示すものと類似していた。
【００３５】
実施例４
図３に示す光制御素子の夾角θは透過観察スペクトルを効果的に制御できるよう変化させることができる。図５は、上述した方法のうち任意の方法で作製できる光制御素子の透過光と視角とのモデル計算結果を示す。夾角（または側壁角）が大きくなるにつれて、垂直入射時の透過光の全体的な割合が低下する。但し、視角に対する透過光の変化の率は、夾角が大きくなるにつれて小さくなる。大きな側壁角の場合、垂直またはほぼ垂直な観察時の視角の小さな変化によって光制御素子を通る光の知覚透過は大きく変わらないことを考慮すると、この後者の影響は重要である場合がある。これは、一般的な視角範囲全体でのより均一なディスプレイ表示につながる。
【００３６】
実施例５
光制御素子（図３を参照）の夾角θを変化させて、（フレネル反射などにより）ルーバからの最大表面反射が発生する視角を効果的に制御してもよい。光吸収要素（図３の３０６Ａと３０６Ｂ）の屈折率が光透過要素（図３の３０２Ａと３０２Ｂ）の屈折率より大きい場合、フレネルの式は、ルーバ表面での最大反射が、ルーバ界面に対する入射のかすめ角で発生することを教示している。非ゼロの夾角（つまり、θ＞０°）を導入することによって、最大表面反射は、約θ／２に等しい角変位分、垂直視から更に離すことができる。その結果発生するゴーストは、意図した視角範囲よりも大きくかつその範囲から更に遠くに移された視角へ移動することができる。
【００３７】
実施例６
反射したゴーストに対する壁曲面の影響を示すためにモデルレイトレース計算を行った。この計算では、平らな壁（つまり、一定のθ）がシリンダからの断面で置換された。他の角度に対してシリンダ角度のうちの１つを変化させることにより、透過要素と吸収要素との間の壁の曲率半径を変更できる。この実施例で報告された計算では、壁の曲率半径は無限大（両方の角度が同じ平らな壁の場合）から、透過部分と吸収部分との間の凹界面（透過要素側からみた場合）に対応する有限半径へ変更された。反射した各構成要素の輝度は、シリンダ角度（角度が大きくなると曲率半径が小さくなる）の関数として表にまとめた。これを表ＩＩＩにおいて報告する。
【００３８】
【表３】
2004514167.tif 000005
【００３９】
表ＩＩＩから、透過断面と吸収断面との間の界面に曲面フィーチャを導入することで反射構成要素（またはゴースト）のピーク最大と総合輝度との両方を低減できることがわかる。
【００４０】
実施例７
実施例３に従って２フィルムの積層板を作製し、視角カットオフを試験した。この例で試験した２フィルムの積層板の夾角（図３のθ）は８°であった。透過率と視角は、「自家製の」視角テスターで測定した。このテスターは、拡散白色光源（安定化電源を有するオリエル（Ｏｒｉｅｌ）５０Ｗクオーツタングステンハロゲンランプ）と、光度計（光度計フィルタと２．５°視野開口部を備えたイー・ジー・アンド・ジー・エレクトロ・オプティクス（ＥＧ＆Ｇ　Ｅｌｅｃｔｒｏ−ｏｐｔｉｃｓ）のモデル４５０光度計）と、回転ステージサンプルホルダーとから構成された。表ＩＶは、（１）ステージ上にフィルムサンプルがない場合および（２）２フィルムの積層板が実施例３に従って作製される場合の視角の関数としての実験的に測定された透過率を表にまとめたものである。
【００４１】
【表４】
2004514167.tif 000006
【００４２】
図６は、表ＩＶのデータをグラフで表現したものである。これらの結果は、光制御フィルムサンプルでは、４°より小さい角度で透過率の変化がほとんどないことを示している。これは、実施例４で説明したモデル計算予測と整合性を有するものであった。４°より大きい視角では、視角と透過の減少とがほとんど直線的であった。この直線的な関係はまた、モデル計算予測と整合性を有するものであった。
【図面の簡単な説明】
【図１】
光制御素子の部分概略断面図である。
【図２（ａ）】
光制御素子を形成する上で有用なフィルムの部分概略図である。
【図２（ｂ）】
光制御素子を形成する上で有用なフィルムの部分概略図である。
【図３】
光制御素子の一部の概略断面図である。
【図４】
光制御素子の一部の概略断面図である。
【図５】
様々な側壁角（図３ではθで表記）について、図３に示す光制御素子の透過率と視角の一次モデル計算を示すグラフである。
【図６】
実施例７に従って作製および測定された光制御素子の透過率および視角のグラフである。
【図５】
2004514167.tif 000007
【図６】
2004514167.tif 000008
【国際公開パンフレット】
2004514167.tif 000009
2004514167.tif 000010
2004514167.tif 000011
2004514167.tif 000012
2004514167.tif 000013
2004514167.tif 000014
2004514167.tif 000015
2004514167.tif 000016
2004514167.tif 000017
2004514167.tif 000018
2004514167.tif 000019
2004514167.tif 000020
2004514167.tif 000021
2004514167.tif 000022
2004514167.tif 000023
2004514167.tif 000024
2004514167.tif 000025
2004514167.tif 000026
2004514167.tif 000027
2004514167.tif 000028
2004514167.tif 000029
2004514167.tif 000030
【国際調査報告】
2004514167.tif 000031
2004514167.tif 000032